(57)【要約】【課題】サークルの出入口に設けたドアにおいて、ドア枠の変形に対して安定したロック機能が得られるサークル用ドア構造の提供を目的とする。【解決手段】正面視で略Ｕ字形状のドア枠と、当該略Ｕ字形状の内側に取り付けたドアを備え、前記ドアは左右方向一方の側部をドア枠に対して回動自在にヒンジ連結してあり、他方の開放端側の側部であって上部側に下方に向けて突出付勢したロックピンを有し、前記ドア枠は前記ロックピンを受け入れるロック孔を有することを特徴とする。【選択図】  図１
2014087490.tif 000002
【特許請求の範囲】
【請求項１】
正面視で略Ｕ字形状のドア枠と、当該略Ｕ字形状の内側に取り付けたドアを備え、
前記ドアは左右方向一方の側部をドア枠に対して回動自在にヒンジ連結してあり、
他方の開放端側の側部であって上部側に下方に向けて突出付勢したロックピンを有し、
前記ドア枠は前記ロックピンを受け入れるロック孔を有することを特徴とするサークル用ドア構造。
【請求項２】
前記ロック孔は左右方向に長い長孔に形成してあることを特徴とする請求項１記載のサークル用ドア構造。
【請求項３】
前記ロックピンは前記ドアの開放端側の上部側をドア枠側に向けて突出させた突出部から下方に向けて突出付勢してあり、
前記ロック孔はドア枠側に、前記突出部に対応させて設けた凹部又は段差部に形成したことを特徴とする請求項１又は２記載のサークル用ドア構造。
【請求項４】
前記ドアのヒンジ連結部はドアが所定の範囲で上下動するのを許容していることを特徴とする請求項１〜３のいずれかに記載のサークル用ドア構造。
【請求項５】
前記ドア枠はブロー成形体であることを特徴とする請求項１〜４のいずれかに記載のサークル用ドア構造。
【発明の詳細な説明】
【技術分野】
【０００１】
本発明はパネル体で周囲を囲繞して、その中でペットを飼育したり、遊ばせたりするペットサークルや、その中を幼児の遊び場とするベビーサークルに関し、特にサークルの出入口として設けたドアの構造に係る。
【背景技術】
【０００２】
パネル体でサークルを形成したペットサークルやベビーサークルにおいては、サークルの内外に出入りするドアが設けられている。
この種のドアは、ペットが自由に出入りできないように、あるいは幼児がうっかりサークルの外に出ないようにロック機構が設けられている。
これまでに公知のドアロック機構としては、特許文献１に開示するようにドアの開放端部に上下に平行な支持片を固定し、この上下の支持片に軸孔を形成し、この軸孔に沿って昇降自在の縦錠軸を設けることで、ドアの取り付けた枠側の係合孔にこの縦錠軸を押し込むものがある。
しかし、このようなロック構造では縦錠軸を昇降操作するのが大変である。
そこで、例えば図１２に示すようにドア１１２の開放端からドア枠１１１のロック孔１２２に向けて左右方向に突没するロックピン１２１を設け、ドアを開く際には操作ボタン１２３にてロックピン１２１を没入操作するものが考えられる。
しかし、近年、ペットサークルにあっては屋外にて使用する場合が増えており、内部が中空となり軽く雨水にも強いブロー成形による樹脂製が提案されている（特許文献２）。
ポリエチレン樹脂等を用いたブロー成形体は軽く、安価に製造できるものの、撓みや変形が生じやすい問題がある。
従って、ブロー成形のような樹脂製の正面視で略Ｕ字形状のドア枠にあっては、図１２に示すように略Ｕ字形状の上部が左右外側方向に撓みや変形が生じやすい。
特にペットが大型犬のように大きい場合には、犬がドア枠に足を掛けた力で撓み、ロックが外れる恐れもあった。
ドア枠の上部が左右方向に広がると、図１２（ｂ）に示したように水平方向に突出したロックピン１２１がドア枠側のロック孔１２２に届かなくなり、ロックが外れたり、ロックそのものができないといったロック機能が働かなくなる恐れがあった。
また、ロックピンのストロークを長くしようとするとロック部が大きくなり、操作性が悪化する。
【先行技術文献】
【特許文献】
【０００３】
【特許文献１】実開昭５７−１２４５６３号公報
【特許文献２】特開２０００−２４５５８２号公報
【発明の概要】
【発明が解決しようとする課題】
【０００４】
本発明は、サークルの出入口に設けたドアにおいて、ドア枠の変形に対して安定したロック機能が得られるサークル用ドア構造の提供を目的とする。
【課題を解決するための手段】
【０００５】
本発明に係るサークル用ドア構造は、正面視で略Ｕ字形状のドア枠と、当該略Ｕ字形状の内側に取り付けたドアを備え、前記ドアは左右方向一方の側部をドア枠に対して回動自在にヒンジ連結してあり、他方の開放端側の側部であって上部側に下方に向けて突出付勢したロックピンを有し、前記ドア枠は前記ロックピンを受け入れるロック孔を有することを特徴とする。
本明細書で左右方向とは、ドアに向かって左右方向を表現する。
【０００６】
ドア枠を略Ｕ字形状に成形すると上部が開口しているので、左右方向に変形しやすい。
ここで、略Ｕ字形状とはドアの取付側と、このドアの開放端側に設けた両方の立上げ部の底部間を左右方向の連結部で、連結した構造をいう。
ドア枠の上記取付側立上げ部と開放端側立上げ部とが底部寄りの連結部で連結されたものであれば、これらが必ずしも一体的に製作されている必要はない。
ドア枠をこのような略Ｕ字形状に構成すると、上部の開口部が左右に開く方向に撓みや変形が生じやすい。
特に樹脂材料のような可撓性のある材料で成形すると、ペットの押圧力によっても撓みやすく、例えばブロー成形によると中空で大型のドア枠が得られるものの、撓みや変形が生じやすい。
そこで、ドア枠の左右方向の撓みや変形の影響が受けにくいように、ロックピンを上下方向（垂直方向）に突没させるとともに上方が開口したロック孔にこのロックピンを係脱させたものである。
また、ここで前記ロック孔は左右方向に長い長孔に形成してもよい。
ロックピンを下方に向けて突出付勢したので、これに対応するロック孔は上方に向けた開口部を有する。
このようなロック孔はドア開放端側立上部を内側方向に突設した突出部を設けることで形成してもよいが、この突出部が通行時に支障をきたす恐れがある。
そこで、ドア枠側をへこませた方がよい。
この場合にドア枠に設けたロック孔を左右方向に長い長孔に形成すると、ドア枠立上げ部が左右方向に変形しても長孔にてロックピンの係合位置ズレを吸収できる。
【０００７】
本発明において、ドアのロックを解除するのに操作レバー等でロックピンを上方に没入させてもよいが、ドアのヒンジ連結部にてドアが所定の範囲を上下動するのを許容させてあると、ドアを少し持ち上げるだけでロックピンがロック孔から外れ、そのままドアを開くことができる。
この場合に、大人は持ち上げられるが、ペットや幼児がドアを持ち上げないようにドアを下方向に付勢してあってもよい。
【発明の効果】
【０００８】
本発明に係るサークルのドア構造にあっては、ロックピンとロック孔との係脱方向を上下方向に設けたので、ドア枠の左右方向の撓みや変形の影響が少ない。
ロック孔を左右方向に長い長孔にすると、ドア枠が左右方向に変形してもロックピンとの相対的ズレを吸収しやすくなる。
また、ドア枠の立上げ部の変形方向とロックピンの係合方向とが直交しているからロックピンが長孔の左右方向内側の端部に当接し、さらにそれ以上変形するのを防止する。
これによりロック部を従来より大きくすることなく従来と同様の操作性を維持できる。
【図面の簡単な説明】
【０００９】
【図１】（ａ）は本発明に係るサークルのドア構造の正面図を示す。（ｂ）はドアを紙面奥側に開いた状態を示す。
【図２】ドア構造を上から見た図を示し、（ａ）はドアが閉じた状態、（ｂ）はドアが開いた状態を示す。（ｃ）はドアのロック状態の平面図、（ｄ）はドアが少し開いた状態のロック部の平面図を示す。
【図３】（ａ）はドアがドア枠にロックされた状態を示し、（ｂ）はドアを少し持ち上げロックを解除した状態を示す。
【図４】（ａ），（ｂ）はロックされた状態からドアを少し持ち上げる動きを示し、（ｃ），（ｄ）はドアを閉じる方向の動きを示す。
【図５】ドア枠が左右方向に撓みあるいは変形した場合のロック部の状態を示す。（ａ）はドア全体を示し、（ｂ），（ｃ）はロック部の部分拡大図を示す。
【図６】ヒンジ部にドアを下方に向けて付勢するスプリングを設けた例を示し、（ａ）は全体図、（ｂ）はヒンジ部の拡大図を示す。
【図７】サークルの例を示し、（ａ）は平面図、（ｂ）は側面図を示す。
【図８】パネル体の連結部の構造例と（ａ），（ｂ），（ｃ）はその連結手順を示す。
【図９】連結具の拡大図及び（ａ），（ｂ），（ｃ）はその連結手順を示す。
【図１０】連結具の連結角度の調整例を（ａ）〜（ｄ）に示す。
【図１１】サークルの他の例を示す。
【図１２】従来のドアのロック構造例を示し、（ａ）は全体、（ｂ）はロック部を示す。
【発明を実施するための形態】
【００１０】
本発明に係るサークルのドア構造例を以下図面に基づいて説明する。
図１（ａ）にドア構造の正面図、（ｂ）にドアを９０度に開いた状態を示す。
図２はドア構造を上から見た平面図を示す。
図１，２に示した実施例は、正面視で略Ｕ字形状のドア枠１１とその内側にドア１２を取り付けた例になっているとともに、ドア枠１１，ドア１２ともにブロー成形にて製作した例である。
ドア枠１１は中空形状になっていて、ドア１２の一方の側部をヒンジ部４０で連結するための取付側立上部１１ａとドアの開放端側に位置する開放端側立上部１１ｃとを底部寄りの連結部１１ｂにて一体成形により連結した構造になっている。
ドア枠１１の取付側立上部１１ａには、上下方向の孔からなる軸受部４２，４２を上下２ヶ所に設け、この軸受部に挿入され回動する回動ピン４１，４１をドア１２側に設け、これらを上下方向に回動軸が形成されるようにヒンジ部４０を形成した。
また、回動ピン４１はドア枠側の軸受部４２に沿って上下動するのを許容している。
このようにドアの上下動を許容するものであれば、ヒンジ構造に制限はない。
ドア１２は、内部が中空のブロー成形であるとともに、上部にはドア１２を上方に持ち上げやすいように左右方向のスリット１２ａと、その下側に上下方向のスリット１２ｂを数本設けた例になっている。
ドア１２の開放端とドア枠１１の開放端側立上部１１ｃとの間は、上部にロック部２０を有し、ドアの開放端側の底部とドア枠１１の連結部１１ｂとの間にサブロック部３０を有する。
ロック部２０は図３，４に示すように次のような構造になっている。
ドア１２は開放端側の上部をドア枠の開放端側立上部１１ｃに向けて突出させるように突出部１２ｃを形成し、この突出部１２ｃから下方に向けてロックピン２１を突出させてあり、付勢手段の例としてスプリング２１ａにより突出方向に付勢してあるとともに上下方向に突没する。
一方、ドア枠の開放端側立上部１１には、ドア１２の突出部に対応した凹部形状としての切欠き部１１ｄを形成し、この切欠き部１１ｄの上面に左右方向長孔のロック孔２２を有する。
長孔の長さＬは、図２に示すようにドア枠等の撓みや変形量を考慮して定める。
このように、ドア枠の開放端側立上部に切欠き部１１ｄを設けたので、ドア立上部から左右方向内側への出張り（突出部）がなくドアを開けて通行しやすい。
【００１１】
底部側に設けたサブロック３０もドア１２の開放端の底部から、下方に向け突出するようにスプリング３１ａで付勢されたサブロックピン３１を有し、ドア枠の連結部１１ｂに上方が開口したサブロック孔３２を有する。
【００１２】
これにより、図３，４に示すようにドア１２を開ける際には、ドア１２を少し持ち上げ、ロックピン２１がロック孔２２から抜け、サブロックピン３１がサブロック孔３２から抜けた状態でドアを開く。
逆にドア１２を閉じる場合には、図２，４に示すようにロック孔２２及びサブロック孔３２の前後方向に上方に向かって厚みが薄くなる方向の傾斜面２２ａ，３２ａを設けたので、この傾斜面２２ａ，３２ａに沿ってロックピン２１，サブロックピン３２が押し込まれるのでドアが閉じ、ロックピン２１及びサブロックピン３１がロック孔２２，サブロック孔３２に突出保持され、ロック状態が保持される。
ロック孔２２が左右方向に長い長孔になっているので、図５に示すようにドア枠１１の左右方向の撓み、変形を吸収する。
また、ドア側のロックピン２１がドア枠側のロック孔２２に係合した状態でドア枠が左右方向外側に変形しようとしても、ロックピン２１が長孔の内側端部に当接し、さらなる変形を防止する。
【００１３】
図６は回動ピン４１にドア１２が下方に引張られるように付勢手段の例としてスプリング４１ａにて付勢した例を示す。
これにより、ドア１２が不本意に持ち上がるのを防止する。
付勢力ｆの大きさはペットや幼児にはドアを持ち上げられないが、大人はドアを持ち上げることができる程度の力である。
【００１４】
本発明に係るドア構造はサークルの出入口に設けるのが好適である。
なお、ペットや幼児の移動を規制するパネル体に設けることも可能である。
図７は６枚のパネル体１を用いて平面視で長方形のサークルを形成した例を示し、図１１に８枚のパネル体１にてサークルを形成した例を示し、サークルの形状に限定はない。
パネル体間の連結構造に制限はない。
図７〜１０に示した例は図９に拡大図を示すように一方のパネル体１のコーナー部の上部に形成した嵌合部１ｃに連結具３を嵌着し、他方のパネル体１の嵌合部１ｃに連結具２を嵌着し、２つの連結具同士を図９（ｃ）に示すように相互に嵌着することで連結し、連結ピン４にて固定した例である。
本実施例では図１０に示すように一方の連結具３に連結角度を規制する複数の溝３ａ，３ｂ，３ｃを形成し、この溝に嵌入するリブ２ａを他方の連結具２に設けた例になっている。
また、本実施例では連結ピン４の先端部に係合片４ａを設けるとともに、パネル体１に係止部材５を嵌着等にて取り付け固定し、連結具２，３の挿入孔２ｂ，３ｄ及びこの係止部材５に設けた係止部１ｄまで連結ピン４の係合片４ａを挿入し回転係止させる例になっている。
また、この係止部材５はパネル体１に一体的に形成してもよい。
【符号の説明】
【００１５】
１１        ドア枠
１２        ドア
２０        ロック部
２１        ロックピン
２２        ロック孔
３０        サブロック部
３１        サブロックピン
３２        サブロック孔
４０        ヒンジ部
４１        回動ピン
４２        軸受部
【図１】
2014087490.tif 000003
【図２】
2014087490.tif 000004
【図３】
2014087490.tif 000005
【図４】
2014087490.tif 000006
【図５】
2014087490.tif 000007
【図６】
2014087490.tif 000008
【図７】
2014087490.tif 000009
【図８】
2014087490.tif 000010
【図９】
2014087490.tif 000011
【図１０】
2014087490.tif 000012
【図１１】
2014087490.tif 000013
【図１２】
2014087490.tif 000014